(57)【要約】【課題】  シリンジから供給される空気の量を確実に制御できるようにすることを課題とする。【解決手段】  シリンジは、プランジャ３を摺動自在に挿入するシリンダ２を有し、シリンダ２には、先端部２ａ側から所定の容積に相当する位置に、２つの孔１１，１２が形成されている。孔１１は、目盛１０上に形成されており、孔１２は孔１１からシリンダ２の周方向に約９０度ずれた位置に形成されている。プランジャ３をシリンダ２内に押し込むと、孔１１，１２の形成位置を越えるまでは、シリンダ２内の空気が孔１１，１２から外部に漏れ、プランジャ３が孔１１，１２を越えて押し込まれると、シリンダ２内の空気が流出口５からバルーンに供給されるようになる。【選択図】    図１
2005319069.tif 000002
【特許請求の範囲】
【請求項１】
シリンダの先端部にバルーンカテーテルに装着される接続部が設けられ、前記シリンダの基端部側からプランジャが摺動自在に挿入されるシリンジにおいて、
前記シリンダの前記先端部から前記基端部に至る間に、前記シリンダの内部と外部とを連通させる孔を、前記シリンダの軸線方向に沿って前記シリンダの先端から等しい距離にあり、かつ前記シリンダの周方向に沿って２つ以上設けたことを特徴とするバルーンカテーテル用のシリンジ。
【請求項２】
前記孔の少なくとも１つは、他の前記孔に対して前記シリンダの周方向に略９０度ずれた位置に設けたことを特徴とする請求項１に記載のバルーンカテーテル用のシリンジ。
【請求項３】
シリンダの先端部にバルーンカテーテルに装着される接続部が設けられ、前記シリンダの基端部側からプランジャが摺動自在に挿入されるシリンジにおいて、
前記シリンダの前記先端部から前記基端部に至る間に、前記シリンダの内部と外部とを連通させる孔を少なくとも１つ有し、前記孔は前記シリンダの軸線方向又は周方向に延びる長孔であることを特徴とするバルーンカテーテル用のシリンジ。
【請求項４】
シリンダの先端部にバルーンカテーテルに装着される接続部が設けられ、前記シリンダの基端部側からプランジャが摺動自在に挿入されるシリンジにおいて、
前記シリンダの前記先端部から前記基端部に至る間に、前記シリンダの内部と外部とを連通させる孔と、前記孔の近傍に設けられたマーカとを設けたことを特徴とするバルーンカテーテル用のシリンジ。
【請求項５】
前記マーカは、色分けされた部分であることを特徴とする請求項４に記載のバルーンカテーテル用のシリンジ。
【請求項６】
前記マーカは、突起であることを特徴とする請求項４に記載のバルーンカテーテル用のシリンジ。
【請求項７】
前記孔を２つ以上設け、前記孔ごとに前記マーカを設けたことを特徴とする請求項４から６のいずれか一項に記載のバルーンカテーテル用のシリンジ。
【発明の詳細な説明】
【技術分野】
【０００１】
本発明は、バルーンカテーテルに用いられるシリンジに関する。
【背景技術】
【０００２】
生体に処置を行う処置具としては、バルーンカテーテルがあげられる。バルーンカテーテルは、体内に挿入されるカテーテルを有し、カテーテルの先端にはバルーンが取り付けられている。バルーンは、カテーテルの外周にチューブを被せ、その両端を固定することで形成されている。カテーテルには、バルーン内に連通するルーメンが形成されており、このルーメンに空気を送り込むことでバルーンを膨らませることができるようになっている（例えば、特許文献１参照）。
【０００３】
ここで、バルーンに空気を送り込む手段としては、シリンジが知られている。シリンジは、シリンダを有し、シリンダ内には、その基端部側からプランジャがシリンダの軸線に沿って摺動自在に挿入されている。
ところで、従来では、バルーンカテーテルを管腔内で使用する場合には、造影剤を注入してＸ線撮影をして、バルーンの径を確認しつつ空気の供給量を制御することが多かった。この場合には、バルーンの内、管腔内壁に押し当てられる部分では造影剤が押しのけられるので、バルーンの輪郭を明確に確認できるが、造影剤の影となる部分ではその輪郭がぼやけてしまうので、バルーンの正確な大きさを確認し難かった。
【０００４】
そこで、Ｘ線で確認しなくてもバルーンの大きさを制御できるように、シリンダには、その先端部から基端部に至るまでの間に１つの孔が形成されたものがある。この孔は、シリンダの内側と外側とを連通させるもので、孔の形成位置よりもシリンダの基端側にプランジャがあるときには、プランジャを摺動させてもシリンダ内の空気が孔から漏れるので、バルーンは膨らまない。これに対して、孔の形成位置よりもシリンダの先端側にプランジャが押し込まれたときには、シリンダとプランジャとで形成される空間が閉空間となり、この閉空間内の空気がバルーンに供給される。孔の形成位置は、バルーンを予め設定された径で拡張させることができる位置に形成されているので、操作者は、プランジャの押し込み量を気にしなくてもバルーンを所定径で拡張させることができる。
【特許文献１】特開２００２‐１４３３１１号公報
【発明の開示】
【発明が解決しようとする課題】
【０００５】
しかしながら、操作者がシリンジを掴むときに、孔を塞いでしまうと、プランジャが孔よりも基端部側にあるときでもシリンダに閉空間が形成されてしまうので、この状態でプランジャを押し込むと、シリンダ内の空気がバルーンに供給されてしまい、予め設定されていた拡張径よりもバルーンが大きく膨らんでしまうことがあった。
この発明は、このような事情に鑑みてなされたものであり、その目的とするところは、シリンジから供給される空気の量を確実に制御できるようにすることである。
【課題を解決するための手段】
【０００６】
上記の課題を解決する本発明の請求項１に係る発明は、シリンダの先端部にバルーンカテーテルに装着される接続部が設けられ、前記シリンダの基端部側からプランジャが摺動自在に挿入されるシリンジにおいて、前記シリンダの前記先端部から前記基端部に至る間に、前記シリンダの内部と外部とを連通させる孔を、前記シリンダの軸線方向に沿って前記シリンダの先端から等しい距離にあり、かつ前記シリンダの周方向に沿って２つ以上設けたことを特徴とするバルーンカテーテル用のシリンジとした。
このバルーンカテーテル用のシリンジでは、孔が２つ以上設けられているので、シリンダを指で保持したときに、全ての孔が同時に指で塞がれることがなくなる。ここで、各孔は、シリンダの所定位置の円周上に配置されているので、少なくとも１つの孔が連通状態にあれば、同じ空気量がシリンジから送られる。
【０００７】
請求項２に係る発明は、請求項１に記載のバルーンカテーテル用のシリンジにおいて、前記孔の少なくとも１つは、他の前記孔に対して前記シリンダの周方向に略９０度ずれた位置に設けたことを特徴とする。
このバルーンカテーテル用のシリンジでは、シリンダを指で挟むように保持したときに、一方の孔が指で塞がれた場合でも、他方の孔には指がかからないようになる。
【０００８】
請求項３に係る発明は、シリンダの先端部にバルーンカテーテルに装着される接続部が設けられ、前記シリンダの基端部側からプランジャが摺動自在に挿入されるシリンジにおいて、前記シリンダの前記先端部から前記基端部に至る間に、前記シリンダの内部と外部とを連通させる孔を少なくとも１つ有し、前記孔は前記シリンダの軸線方向又は周方向に延びる長孔であることを特徴とするバルーンカテーテル用のシリンジとした。
このバルーンカテーテル用のシリンジでは、孔が軸線方向又は周方向に長いので、孔に指がかかった場合でも、孔全体が指で塞がれないようになる。
【０００９】
請求項４に係る発明は、シリンダの先端部にバルーンカテーテルに装着される接続部が設けられ、前記シリンダの基端部側からプランジャが摺動自在に挿入されるシリンジにおいて、前記シリンダの前記先端部から前記基端部に至る間に、前記シリンダの内部と外部とを連通させる孔と、前記孔の近傍に設けられたマーカとを設けたことを特徴とするバルーンカテーテル用のシリンジとした。
このバルーンカテーテル用のシリンジでは、孔の近傍にマーカが設けられているので、シリンダを指で保持する際に、孔の位置を確認することができ、孔が指で塞がれないようになる。
【００１０】
請求項５に係る発明は、請求項４に記載のバルーンカテーテル用のシリンジにおいて、前記マーカは、色分けされた部分であることを特徴とする。
このバルーンカテーテル用のシリンジでは、マーカが色分けされた部分からなるので、視覚で孔の位置を確認することが可能になる。
【００１１】
請求項６に係る発明は、請求項４に記載のバルーンカテーテル用のシリンジにおいて、前記マーカは、突起であることを特徴とする。
このバルーンカテーテル用のシリンジでは、マーカが突起からなるので、触覚で孔の位置を確認することが可能になる。
【００１２】
請求項７に係る発明は、請求項４から６のいずれか一項に記載のバルーンカテーテル用のシリンジにおいて、前記孔を２つ以上設け、前記孔ごとに前記マーカを設けたことを特徴とする。
このバルーンカテーテル用のシリンジでは、マーカが孔ごとに設けられているので、孔が複数ある場合であっても、孔位置を視覚や触覚で容易に確認できるようになる。
【発明の効果】
【００１３】
本発明によれば、孔を複数設けることで、孔が指で完全に塞がれた状態になることが効果的に防止されるので、バルーンに供給される空気量を確実に制御することが可能になる。
また、孔に対応してマーカを設けると、孔の位置を触覚や視覚で確認することができるようになるので、孔が指で完全に塞がれた状態になることが効果的に防止される。したがって、バルーンに供給される空気量を確実に制御することが可能になる。
【発明を実施するための最良の形態】
【００１４】
発明を実施するための最良の形態について図面を参照しながら詳細に説明する。
図１に第１の実施の形態におけるシリンジの構成を示す。
図１に示すように、シリンジ１は、外筒部であるシリンダ２と、シリンダ２内に摺動自在に挿入されるプランジャ（押し子）３とを有している。
シリンダ２の先端には、縮径された先端部２ａが設けられ、先端部２ａからは接続部４が軸線に沿って延設されている。接続部４は、その中心線上にシリンダ２内と外部とを連通させる流出口５が形成されている。この流出口５は、後述するバルーンカテーテルに空気を導くために形成されている。さらに、接続部４には、流出口５を覆うように円筒部６が設けられており、円筒部６には内ネジ６ａが刻まれている。シリンダ２の基端部２ｂには、挿入口７がプランジャ３を挿入可能に設けられている。また、シリンダ２の基端部２ｂには、つば８がシリンダ２の軸線と略直交する方向で、かつシリンダ２の一直径方向に延設されている。シリンダ２は、縮径された先端部２ａを除いて基端部２ｂの挿入口７に至るまで、略等しい内径を有している。なお、挿入口７の近傍の内周面には、プランジャ３の抜け落ちを防止するための突起（不図示）が設けられている。
【００１５】
ここで、シリンダ２の外周面には、軸線方向に沿って目盛１０が設けられている。目盛１０は、シリンダ２内に形成される空間の容積を先端部２ａ側を基準として計測した結果を示すものである。
さらに、シリンダ２には、目盛１０に重なるように、孔１１が設けられている。孔１１は、シリンダ２の内部と外部とを連通させるもので、シリンダ２内部が予め設定された容積になる位置に形成されている。
また、図１及び図２に示すように、シリンダ２には、孔１１から周方向に約１／４周（角度にして略９０度）だけ離れた位置に、孔１２が形成されている。孔１２は、シリンダ２の内部と外部とを連通させるもので、孔１１と略同じ大きさに形成されている。つまり、このシリンダ２は、その軸線方向に沿ってシリンダ２の先端から等しい距離に、孔１１と孔１２とが設けられている。２つの孔１１，１２は、シリンダ２の周方向に位置がずれているが、略同じ形状を有しており、各孔１１，１２は同じ働きを有する。
【００１６】
図１に示すように、プランジャ３は、板片１５を十文字状に交差させた本体部１６を有している。本体部１６は、シリンダ２内に挿入可能な大きさを有し、本体部１６の先端には、外形が円形のヘッド部１７が設けられている。さらに、ヘッド部１７の先端には、シール部材１８が取り付けられている。シール部材１８は、シリンダ２の内周面に摺接するシール面１８ａを有し、シリンダ２の内周面とシール部材１８との間では気密が保たれるようになっている。さらに、本体部１６の基端には、円板状の押圧部１９が取り付けられている。
【００１７】
さらに、このようなシリンジ１が装着されるバルーンカテーテルの一例について図３及び図４を参照して説明する。
図３に示すバルーンカテーテル２０は、体腔内に挿入される可撓性のカテーテル（シース）２１を有し、カテーテル２１の先端部には、バルーン２２が取り付けられている。バルーン２２は、例えば、天然ゴムラテックスから製造されたチューブで、チューブ内にカテーテル２１の先端部を貫通させた後に、その両端部２２ａを糸で縛り付けると共に、接着剤を塗布するなどして固定されている。バルーン２２に空気を供給すると、図４に示すように、固定されていない中間部２２ｂを膨らませることができる。
カテーテル２１内には、膨張ルーメン２３が形成されている。膨張ルーメン２３は、その先端部分が閉塞されると共に、バルーン２２の中間部２２ｂに連通する側孔２４が形成されている。また、カテーテル２１内には、ガイドルーメン２５と送液ルーメン２６とが略平行に形成されている。ガイドルーメン２５には、カテーテル２１の先端部を体腔内に案内する際に、ガイドワイヤや、スタイレットが挿通される。送液ルーメン２６は、体腔に造影剤を注入するために用いられる。送液ルーメン２６の先端部は、閉塞されると共に、外部に連通する側孔２６ａが設けられている。なお、送液ルーメン２６を形成せずに、ガイドルーメン２５を用いて造影剤を注入するようにしても良い。
【００１８】
図３に示すように、カテーテル２１の基端部には、操作部２７が設けられている。操作部２７は、カテーテル２１に接続される分岐部２８を有し、分岐部２８からは、膨張シャフト２９とガイドシャフト３０とが延設されている。膨張シャフト２９内には、膨張ルーメン２３に連通するルーメンが設けられており、膨張シャフト２９の基端部にはルアー形状の口金３１が取り付けられている。この口金３１には、弁３２を介してシリンジ１が接続されるようになっている。また。ガイドシャフト３０の基端部には、口金３３が取り付けられている。この口金３３には、２つの入口３４，３５が設けられている。入口３４は、ガイドルーメン２５に連通しており、ここからガイドワイヤを挿入して、カテーテル２１の剛性を高めて押し込み性能を向上させられるようになっている。また、入口３５は、送液ルーメン２６に連通しており、ここには造影剤が収容された造影剤用シリンジを接続できるようになっている。
【００１９】
次に、このシリンジ１の作用について説明する。なお、図３に示すバルーンカテーテル２０は、管腔の所定位置に挿入されており、操作部２７の弁３２は開いているものとする。
まず、図５に示すように、シリンダ２に挿入したプランジャ３を、シリンダ２の基端部２ｂ側まで引き戻した状態で、シリンダ２の接続部４を操作部２７の弁３２に接続する。接続にあたっては、接続部４の内ネジ６ａを弁３２に螺入する。
シリンジ１を接続したら、一方の手でシリンダ２のつば８と、プランジャ３の押圧部１９とを指で挟み込むようにして保持し、他方の手でシリンダ２を持って、プランジャ３をシリンダ２の先端部２ａに向かってゆっくりと押し込む。
【００２０】
このとき、図６に示すように、プランジャ３のシール部材１８のシール面１８ａが孔１１，１２に達するまでは、バルーン２２（図３参照）には空気が供給されない。すなわち、プランジャ３が押し込まれると、シール部材１８とシリンダ２内とで形成される空間３６の容積は減少するが、容積の減少分に相当する空気は、抵抗の少ない２つの孔１１，１３から矢印で示すように抜け出るので、バルーン２２に空気は供給されない。
図７に示すように、プランジャ３をさらに押し込んだ結果、シール部材１８が孔１１，１２の形成位置を越えて先端部２ａ側に移動すると、バルーン２２に空気が供給されるようになる。すなわち、シール部材１８が孔１１，１２よりも先端部２ａ側にあるので、空間３６内の空気は孔１１，１２から抜け出さなくなり、容積の減少量に相当する空気が矢印で示すように、流出口７から弁３２に送り込まれる。この空気は、図３に示す膨張ルーメン２３を通ってバルーン２２に供給される。その結果、シリンダ２内の容積の減少量に応じてバルーン２２が膨張する（図４参照）。
なお、シール部材１８がシリンダ２の先端部２ａに当接するまでプランジャ３を押し込むと、予め設定されている大きさ、つまり孔１１，１２の形成位置から先端部２ａまでの容積に相当する空気がバルーン２２に供給され、この空気量に応じた大きさでバルーン２２が膨張させられる。なお、弁３２を閉じると、シリンジ１を取り外す等しても、バルーン２２を膨張させた状態を維持させることができる。
【００２１】
ここで、プランジャ３を押し込むに際し、シリンダ２の外周面に指を沿えることがあるが、この場合に孔１１，１２の一方を指で塞いでしまうことがある。しかしながら、この実施の形態では、孔１１，１２が２つ設けられているので、２つの孔１１，１２が同時に指で塞がれることがなくなり、バルーン２２に供給される空気量を確実に制御することができる。特に、２つの孔１１，１２が周方向に約９０度ずれた位置に形成されているので、シリンダ２を挟むように指を添えた場合に、一方の孔１１，１２が塞がれたとしても、他方の孔１１，１２が塞がれることはない。さらに、各孔１１，１２は、シリンダ２の軸線方向に沿って前記シリンダの先端から等しい距離にあるので、一方の孔１１，１２が塞がれたとしても、他方の孔１１，１２が塞がれなければシリンジ１からバルーン２２に送り込まれる空気量が一定に保たれる。したがって、これら孔１１，１２を有することでバルーン２２の膨張量を正確に制御することができる。
【００２２】
本発明の第２の実施の形態について図面を参照して説明する。なお、第１の実施の形態と同じ構成要素には同一の符号を付してある。また、第１の実施の形態と重複する説明は省略する。
この実施の形態は、シリンジの孔に近接した位置にマーカを設けたことを特徴とする。
【００２３】
図８に示すように、シリンジ４０は、プランジャ３が摺動自在に挿入されるシリンダ４１を有している。シリンダ４１は、先端部４１ａから基端部４１ｂに至るまでの間の所定位置に孔１１が１つ形成されている。そして、この孔１１の近傍で、孔１１よりも基端部４１ａ側には、マーカとして機能する突起４２が設けられている。
このシリンジ４０の使用時には、指でシリンダ４１を挟むように保持する。このとき、孔１１を塞ぐ位置に指を置くと、同時に指が突起４２に触れる。このため、施術者は、自らが孔１１を塞いでいることを認識し、指の位置をずらしてから、プランジャ３を押し込む。
したがって、孔１１が指で塞がれた状態でプランジャ３が押し込まれることがなくなるので、余分な空気がバルーン２２に供給されることがなくなる。特に、手術室が暗い場合で、孔１１の位置を目視で確認し難いときに、触覚で孔１１の位置を確認することが可能になる。
【００２４】
なお、突起４２は、孔１１の近傍で、かつ先端部４１ａ側に設けても良い。また、孔１１の円周方向の近傍に設けても良い。さらに、孔１１を囲むように環状の突起を設けても良い。突起の他の形態としては、孔１１の近傍を通り、シリンダ４１の外周面を一周するようなリング状にしても良い。このような突起では、孔１１の位置を特定することはできないが、突起の近傍には孔１１があることになるので、突起を指で触れないようにすれば、孔１１が塞がれることはなくなる。
【００２５】
また、図９に示すようなシリンダ４５を有しても良い。シリンダ４５は、先端部４５ａから基端部４５ｂに至るまでの間の所定位置に孔１１が１つ形成されている。そして、この孔１１の周囲には、色分けされた部分４６が形成されている。この色分けされた部分４６は、孔１１の位置を目視で確認できるようにするマーカである。このような色分けされた部分４６は、無色のシリンダ４５に有色の塗料を塗布して形成される。また、暗室での視認性を高めるために、蛍光塗料や、蓄光塗料を用いても良い。
このシリンダ４５では、孔１１の周囲に目視で確認できる色が付されているので、シリンダ４５の使用時には、色分けされた部分４６を確認し、この色分けされた部分４６を避けるようにシリンダ４５を指で保持する。孔１１が指で塞がれることがなくなるので、余分な空気がバルーン２２に供給されることがなくなる。
【００２６】
本発明の第３の実施の形態について図面を参照して説明する。なお、前記各実施の形態と同じ構成要素には同一の符号を付してある。また、前記各実施の形態と重複する説明は省略する。
この実施の形態では、送気量に応じてシリンジの大きさを変えたことを特徴とする。
【００２７】
すなわち、図１０には、シリンジ１と、シリンジ５１と、シリンジ５２とからなるシリンジセットが図示されている。シリンジ５２のシリンダ５３及びプランジャ５４は、それぞれの径が３本のシリンジ１，５１，５２の中で最も小さい。シリンダ５３には、先端部５３ａに接続部４が設けられ、基端部５３ｂには挿入口５６が形成されている。また、基端部５３ｂにはつば５５が設けられている。このシリンダ５３には、先端部５３ａを基準として、例えば、バルーン２２（図２参照）を直径８．５ｍｍの大きさで拡張させるだけの空気量（第１の容積）に相当する位置に、２つの孔５７，５８が設けられている。孔５７は目盛１０上に設けられ、孔５８は孔５７から周方向に約９０度ずれた位置に設けられている。なお、プランジャ５４は、シリンダ５３に対応した大きさを有し、先端にはシール部材５９が設けられている。シール部材５９の外周面は、シリンダ５３の内周面に摺接するシール面５９ａになっている。
【００２８】
シリンジ５１のシリンダ６０及びプランジャ６１は、それぞれの径が２番目に大きい。シリンダ６０には、先端部６０ａに接続部４が設けられ、基端部６０ｂには挿入口６２が形成されている。また、基端部６０ｂにはつば６３が設けられている。このシリンダ６０には、先端部６０ａを基準として、例えば、バルーン２２（図２参照）を直径１１．５ｍｍの大きさで拡張させるだけの空気量（第２の容積）に相当する位置に、２つの孔６４，６５が設けられている。孔６４は目盛１０上に設けられ、孔６５は孔６４から周方向に約９０度ずれた位置に設けられている。なお、プランジャ６１は、シリンダ６０に対応した大きさを有し、先端にはシール部材６６が設けられている。シール部材６６の外周面は、シリンダ６０の内周面に摺接するシール面６６ａになっている。
なお、シリンジ１のシリンダ２には、第２の容積よりも大きい所定の容積、例えば、バルーン２２を直径１５ｍｍの大きさで拡張させるための空気量（第３の容積）に相当する位置に、孔１１，１２が設けられている。
【００２９】
これらシリンジ１，５１，５２を用いて、図３に示すようなバルーンカテーテル２０のバルーン２２を膨張させるときには、最初に、バルーンカテーテル２０を挿入している管腔の大きさなどに合わせてバルーン２２に供給する空気の量を選択する。そして、選択された空気量に対応する位置に孔が設けられているシリンジ１，５１，５２をバルーンカテーテル２０の操作部２７の弁３２に接続する。例えば、シリンジ５２を使用した場合には、プランジャ３を押し込むと、第１の容積に相当する空気量が供給され、これに応じた大きさでバルーン２２が膨張させられる。シリンジ５１を使用した場合には、第２の容積に相当する空気量でバルーン２２が膨張させられ、シリンジ１を使用した場合には、第３の容積に相当する空気量でバルーン２２が膨張させられる。
【００３０】
この実施の形態では、バルーン２２への送気量に応じたシリンジ１，５１，５２を複数種類用意したので、シリンジ１，５１，５２を選択することで送気量を設定することができる。ここで、各シリンジ１，５１，５２には、異なる送気量に対応する位置に、孔１１，１２，５７，５８，６４，６５が少なくとも２つずつ設けられているので、送気量を確実に制御することができる。
さらに、各シリンジ１，５１，５２は、送気量の大きさに応じて、大きさが異なるようにしたので、視認性が向上し、必要な量の空気を確実に供給することが可能になる。
【００３１】
本発明の第４の実施の形態について図面を参照して説明する。なお、前記各実施の形態と同じ構成要素には同一の符号を付してある。また、前記各実施の形態と重複する説明は省略する。
図１１に示すように、シリンジ７０は、プランジャ３が軸線方向に摺動自在に挿入されるシリンダ７１を有している。シリンダ７１の径は、例えば、図１０に示す最も太いシリンダ２の径に略等しい。このシリンダ７１には、先端部７１ａを基準として、３つのバルーン径に対応できるように、２つの目盛７２，７３と２つの孔１１，１２とが設けられている。第１の目盛７２は、３つの内で最もバルーン径が小さい場合に対応しており、例えば、先端部７１ａから第１の容積に対応する位置に設けられている。第２の目盛７３は、２番目にバルーン径が小さい場合に対応しており、例えば、先端部７１ａから第２の容積に対応する位置に設けられている。そして、孔１１，１２は、最もバルーン径が大きい場合に対応する位置でシリンダ７１を貫通するように設けられており、例えば、第３の容積に対応する位置に、周方向に９０度ずれた位置に設けられている。
【００３２】
このシリンジ７０の作用について説明する。
バルーン２２を第１の容積に相当する大きさで膨張させる場合には、第１の目盛７２の位置にプランジャ３のシール部材１８のシール面１８ａの先端位置を合わせてからシリンジ７０をバルーンカテーテル２０の弁３２（図２参照）に接続する。この状態からプランジャ３を押し込むと、第１の容積に相当する空気量が供給され、これに応じてバルーン２２が膨張させられる。
バルーン２２を第２の容積に相当する大きさで膨張させる場合には、第２の目盛７３の位置にプランジャ３のシール部材１８のシール面１８ａの先端位置を合わせてから弁３２に接続し、プランジャ３を押し込む。シリンジ７０から第２の容積に相当する空気量が供給され、これに応じてバルーン２２が膨張させられる。
そして、プランジャ３を引き戻し、２つの孔１１，１２が塞がれないようにシリンダ７１を保持した状態で弁３２に接続し、プランジャ３を押し込むと、シール部材１８のシール面１８ａの先端が孔１１，１２を通過した後から、シリンジ７０内の空気がバルーン２２に供給され、第３の容積に相当する大きさでバルーン２２が膨張させられる。
【００３３】
この実施の形態では、シリンダ７１にバルーン２２の拡張径を示す目盛７２，７３が設けられているので、１本のシリンジ７０であっても、バルーン２２の拡張径を簡単に選択することが可能になる。
さらに、バルーン２２を最も大きく拡張させる第３の容積に対応する位置には、孔１１，１２が設けられているので、プランジャ３をシリンダ７１の基端部７１ｂ側から押し込むだけで予め設定されている大きさでバルーン２２を拡張させることが可能になる。ここにおいて、孔１１，１２は、２つ設けられているので、指で塞がれることはない。
【００３４】
また、図１２に示すように、孔１１，１２の位置を基準として、シリンダ７６の先端部７６ａに向かって第１の目盛７７と第２の目盛７８とを設けても良い。すなわち、２つの孔１１，１２は、先端部７６ａからの容積が、第３の容積になる位置に形成されている。第１の目盛７７は、孔１１，１２の形成位置からの容積が第１の容積になる位置に形成されている。第２の目盛７８は、孔１１，１２の形成位置からの容積が第２の容積になる位置に形成されている。
【００３５】
このシリンジ７５で第３の容積を選択する場合には、前記と同様にしてバルーン２２に送気が行われる。第１の容積を選択する場合には、プランジャ３をシリンダ７６の基端部７６ｂ側から孔１１，１２を越えて第１の目盛７７まで押し込む、孔１１，１２の形成位置から第１の目盛７７の形成位置までの容積に相当する空気がバルーン２２に供給され、バルーン２２が第１の容積に相当する大きさで膨張させられる。第２の容積を選択する場合には、プランジャ３をシリンダ７６の基端部７６ａ側から孔１１，１２及び第１の目盛７７を越えて第２の目盛７８まで押し込む。孔１１，１２の形成位置から第２の目盛７８の形成位置までの容積に相当する空気がバルーン２２に供給され、バルーン２２が、第２の容積で膨張させられる。
【００３６】
このようなシリンジ７５では、孔１１，１２の位置を基準として、そこからプランジャ３を押し込んだ量に応じてバルーン２２の大きさが制御されるようになるので、予めプランジャ３の位置を設定しておく必要がない。さらに、孔１１，１２が２つ以上設けられているので、指で塞がれることはない。なお、孔１１，１２は、一方のみを形成しても良い。
【００３７】
本発明の第４の実施の形態について図面を参照して説明する。なお、前記各実施の形態と同じ構成要素には同一の符号を付してある。また、前記各実施の形態と重複する説明は省略する。
図１３に示すように、シリンジ８０は、プランジャ３が軸線方向に摺動自在に挿入されるシリンダ８１を有している。シリンダ８１の径は、例えば、図１０に示す最も太いシリンダ２の径に略等しい。このシリンダ８１には、先端部８１ａ側から孔８２と、孔８３と、孔１１とが順番に一直線上に形成されている。孔８２は、先端部８１ａを基準として第１の容積に相当する位置に形成されている。また、孔８２は、先端部８１ａを基準として第２の容積に相当する位置に形成されている。そして、孔１１は、先端部８１ａを基準として第３の容積に相当する位置に形成されている。
ここで、孔８２と孔８３とは、１本の指で押さえられる領域内に配置されている。
【００３８】
このシリンジ８０の作用について説明する。
第１の容積に相当する大きさでバルーン２２を拡張させる場合には、３つの孔１１，８２，８３を塞がないようにシリンダ８１を保持し、シリンダ８１の基端部８１ｂ側からプランジャ３を押し込む。プランジャ３のシール部材１８のシール面１８ａの先端が孔８２に達するまでの間は、少なくとも孔８２から空気が漏れる。シール面１８ａの先端が孔８２を越えて先端部８１ａ側に押し込まれると、孔８２からの押し込み量に応じて第１の容積に至るまで空気がバルーン２２に供給される。
第２の容積に相当する大きさでバルーン２２を拡張させる場合には、孔８２のみを指で塞いでからプランジャ３を押し込む。プランジャ３のシール部材１８のシール面１８ａが孔８３に達するまでの間は、少なくとも孔８３から空気が漏れる。ただし、孔８２が指で塞がれているので、孔８２からは空気が漏れない。シール部材１８のシール面１８ａの先端が孔８３を越えて押し込まれると、孔８３から先端部８１ａ側までの間の空気がプランジャ３の押し込み量に応じてバルーン２２に供給される。
第３の容積に相当する大きさでバルーン２２を拡張させる場合には、孔８２及び孔８３を指で塞いでからプランジャ３を押し込む。プランジャ３のシール部材１８のシール面１８ａの先端が孔１１に達するまでの間は、孔１１から空気が漏れる。ただし、孔８２及び孔８３が指で塞がれているので、孔８２及び孔８３からは空気が漏れない。シール部材１８のシール面１８ａの先端が孔１１を越えて押し込まれると、孔１１から先端部８１ａ側までの間の空気がプランジャ３の押し込み量に応じてバルーン２２に供給される。
【００３９】
この実施の形態では、バルーン２２の拡張径に合わせた位置に、孔１１，８２，８３が形成されているので、孔１１，８２，８３を選択することで、１つのシリンジ８０でバルーン２２に供給する空気の量を簡単に制御することができる。特に、先端部８１ａ側に配置されている孔８２，８３を必要に応じて指で塞ぎながら使用することで、プランジャ３の位置を正確に調整しなくても空気量の制御を行うことが可能になる。
【００４０】
なお、本発明は、前記各実施の形態に限定されずに広く応用することができる。
例えば、図１に示す孔１１，１２のように、複数の孔を周方向に位置をずらして設ける場合には、孔の数は３つ以上でも良い。孔の数が多いと、施術者の持ち方に依存せずに、空気量の制御をさらに確実に行えるようになる。孔の配置間隔は、等間隔でも良いし、任意の間隔でも良い。
また、図１３に示す孔１１，８２，８３のように、複数の孔をシリンダ８１の軸線に沿う直線上に設ける場合には、孔の数は２つでも良いし、３つ以上でも良い。孔を３つ以上配列した場合には、バルーン２２の膨張させる大きさをさらに多くの段階に分けて制御することが可能になる。
【００４１】
孔１１，１２，５７，６４，８２，８３，８５，８６ごとに、マーカを設けても良い。このようにすると、孔が複数ある場合でも、それぞれの位置を速やかに確認することができる。マーカは、図８に示すような突起４２のみでも良いし、図９に示すような色分けされた部分４６でも良い。また、突起４２に色を付すなど、突起と色分けを併用しても良い。また、孔１１，１２，８２，８３ごとに異なる色のマーカを設けるとさらに確認しやすくなる。
さらに、第１の目盛７２と第２の目盛７３とに異なる色を付すと、位置の確認がし易くなる。同様に、第１の目盛７７と第２の目盛７８とに異なる色を付しても良い。また、各目盛７２，７３，７７，７８を突起状に設けたり、色分けと併用したりしても良い。ここにおいて、例えば、シリンダ７１の先端部７１ａから第１の目盛７２まで帯状のマーカを設け、先端部７１ａから第２の目盛７３まで異なる色の帯状のマーカを設けて良い。このようにすると、プランジャ３の押し込み量の確認が容易になる。
【００４２】
図１４に示す孔８５のように、シリンダ２の周方向に延びる長孔であっても良い。このような孔８５であれば、指で孔８５全体を塞ぐことがなくなるので、空気量の調整を確実に行えるようになる。この場合の孔８５の長さは、図１に示すような略円形の孔１１の径よりも長く、シリンダ２の半周よりも短いことが好ましい。より好ましくは、円周の１／４に相当する長さである。孔８５の幅は、プランジャ３の摺動を妨げない大きさとする。
また、図１５に示す孔８６のように、シリンダ２の軸線方向に延びる長孔であっても、図１４の孔８５と同様の作用及び効果が得られる。この場合には、孔８６の先端位置からシリンダ２の先端部２ａまでの容積がバルーン２２に供給される空気量に相当する。孔８６の幅は、プランジャ３の摺動を妨げない大きさとする。
そして、孔８５，８６を複数設けても良い。孔８５，８６と孔１１とを組み合わせても良い。また、長孔の他の形態としては、孔１１よりも幅の狭いスリットを孔１１から延設させたものがあげられる。
【図面の簡単な説明】
【００４３】
【図１】本発明の実施形態におけるシリンジの構成を示す図である。
【図２】図１のＩＩ‐ＩＩ線に沿った断面図である。
【図３】バルーンカテーテルの概略構成を示す断面図である。
【図４】バルーンカテーテルの先端部の断面図であって、バルーンを膨張させた状態を示す図である。
【図５】シリンジの使用状態を説明する図である。
【図６】シリンジの使用状態を説明する図であって、プランジャが孔よりも基端部側にある場合を示す図である。
【図７】シリンジの使用状態を説明する図であって、プランジャが孔よりも先端部側にある場合を示す図である。
【図８】シリンジの構成を示す図である。
【図９】シリンダの構成を示す図である。
【図１０】内容積の異なる３本のシリンジを示す図である。
【図１１】シリンジの構成を示す図である。
【図１２】シリンジの構成を示す図である。
【図１３】シリンジの構成を示す図である。
【図１４】孔の形態を示す図である。
【図１５】孔の形態を示す図である。
【符号の説明】
【００４４】
１，４０，５１，５２，７０，７５，８０      シリンジ
２，４１，４５，５３，６０，７１，７６，８１      シリンダ
２ａ    先端部
２ｂ    基端部
３，５４，６１      プランジャ
４      接続部
１１，１２，５７，５８，６４，６５，８２，８３，８５，８６    孔
２０    バルーンカテーテル
４２    突起（マーカ）
４６    色分けされた部分（マーカ）
【図１】
2005319069.tif 000003
【図２】
2005319069.tif 000004
【図３】
2005319069.tif 000005
【図４】
2005319069.tif 000006
【図５】
2005319069.tif 000007
【図６】
2005319069.tif 000008
【図７】
2005319069.tif 000009
【図８】
2005319069.tif 000010
【図９】
2005319069.tif 000011
【図１０】
2005319069.tif 000012
【図１１】
2005319069.tif 000013
【図１２】
2005319069.tif 000014
【図１３】
2005319069.tif 000015
【図１４】
2005319069.tif 000016
【図１５】
2005319069.tif 000017